(57)【要約】対称鉛直中面を有しかつ前光学部（１）および前記前光学部（１）の側領域（８）に各々が結合された二つの対しワイヤテンプル（３）を含む眼鏡。各ワイヤテンプルはワイヤテンプルの概ね長手方向（Ｄ）と交差する垂直面（Ｐ２）内にアイレット（６）として形成されたヒンジ端を有する。ヒンジ要素（７）はアイレット（６）を受けるために対応する側領域の内側面上に固定されて、前記ワイヤテンプルが前記前光学部に実質的垂直になる展開位置と、前記前光学部に実質的水平となる折り畳み位置間で、前記内側面に実質的直角の軸（Ａ）を中心に旋回する。
2004504626.tif 000002
【特許請求の範囲】
【請求項１】
対称鉛直中面（Ｐ１）を有し、かつ前光学部（１）、および前記対称鉛直中面に対称的に前記前光学部の各側領域（８）に各々が連結された二つのワイヤテンプル（３）を含む眼鏡において、
各ワイヤテンプル（３）はワイヤテンプルの概ね長手方向（Ｄ）と交差する垂直面（Ｐ２）内にアイレット（６）に形成されたヒンジ端を有し、かつ
ヒンジ要素（７）は前記アイレット（６）を受けて、前記前光学部に実質的垂直となる前記ワイヤテンプルの展開位置と前記前光学部に実質的水平となる前記ワイヤテンプルの折り畳み位置との間で前記側領域の内側面に実質的直角の軸（Ａ）を中心に軸旋回するために前記内側面上に固定されていることを特徴とする、眼鏡。
【請求項２】
前記ワイヤテンプル（３）は湾曲していることを特徴とする、請求項１による眼鏡。
【請求項３】
前記ヒンジ要素（７）は概ね筒状であり、かつ前記アイレット（６）を案内しかつ約１８０°にわたって回転させる孔（１３，２１）を含むことを特徴とする、請求項１または２による眼鏡。
【請求項４】
前記孔（１３，２１）は螺旋状であることを特徴とする、請求項３による眼鏡。
【請求項５】
ワッシャ（２８，２７）が前記アイレット（６）と前記孔（１３，２１）を形成する対向面との間に介在することを特徴とする、請求項３または４による眼鏡。
【請求項６】
前記ヒンジ要素（７）は前記側領域（８）に対して軸受けする軸受け面（１０）、および前記側領域のエッジに形成された切欠き（１２）内に受けられる突出スタッド（１１）を有するベース（９）、ならびにアイレット案内孔を形成するために前記軸受け面（１０）と反対のベース面（１３）に対面する面（２１）を有するカバー（１９）を含むことを特徴とする、請求項１から５のいずれか１による眼鏡。
【請求項７】
前記カバー（１９）は前記ベース（９）の切欠き（２４）内に受けられる側突出スタッド（１１）を有することを特徴とする、請求項６による眼鏡。
【請求項８】
前記ベース（９）および前記カバー（１９）は前記前光学部（１）、アイレット（６）、およびヒンジ要素（７）を通るファスナ（２５，２６）により結合されていることを特徴とする、請求項６または７による眼鏡。
【発明の詳細な説明】
【０００１】
本発明はワイヤタイプのテンプルを有する眼鏡に関する。
【０００２】
ブリッジにより相互に連結された二つの矯正レンズ、および各レンズの側領域に連結された二つのワイヤテンプルを含む眼鏡は、特に米国特許出願第９４３０８５号から既知である。各テンプルは鉛直軸を中心にヒンジへ固定された一端を有し、かつ反対端が対応するレンズの側部へ垂直に固定された支持ロッドの一端に固定されている。従って、テンプルはレンズに実質的に垂直に延びる展開位置とレンズに実質的に平行になる折り畳み位置間を移動できる。
【０００３】
かかる眼鏡は非常に軽量でありかつ特にフレームの精密さ、繊細さ、美しさにより授与される著しく快適な外観から恩恵を受ける。にもかかわらず、折り畳み位置において、このような眼鏡はヒンジを含む突起部により比較的嵩高い。各ヒンジはテンプルから突出する突起部を構成し、突起部は眼鏡を衣服等のポケットに入れる時にジャケット布の繊維、またはニット着の編み目に引っかかる危険がある。更に、ヒンジが眼鏡のフレームにより付与される美感を損なうとユーザが感じる危険がある。
【０００４】
従って、テンプルに対して小さい寸法のヒンジによりテンプルを蝶番止めしかつコンパクトな折り畳み位置になる眼鏡を提供することが有利である。
【０００５】
ワイヤタイプのフレームに関する技術的背景として、ＷＯ−Ａ−９６／３３４３８、ＥＰ−Ａ−０８０５３６９、およびＷＯ−Ａ−９２／０８１５８が引用できる。
【０００６】
眼鏡はフレームに一体化されたテンプルヒンジを有する。
【０００７】
従って、特にＥＰ−Ａ−０４２６００６から、第一にレンズ受け部および第二に傾斜部を介してレンズ受け部に連結された円筒ロッドにより形成されたテンプルを含むフレームに固定されたレンズを有する眼鏡が既知である。各傾斜部はレンズ受け部に固定された一端、およびテンプルの一端で端面と共働するためにレンズ受け部を含む面に対して角度を形成する端面を有する反対端を有し、端面はテンプルの概ね長手方向と角度を形成する。テンプルは、テンプルおよび端面に垂直の傾斜部の両端へ挿入される螺子により傾斜部に連結され、それによりテンプルは螺子の軸を中心に円錐通路上を旋回して、テンプルがレンズ受け部に対して垂直となる展開位置と、テンプルがレンズ受け部に平行になる折り畳み位置に付く。この事例において、ヒンジは全体的にテンプルおよび傾斜部に受けられる。
【０００８】
しかしながら、テンプルおよび傾斜部は相当に大きく、かつワイヤテンプルの断面よりも相当に大きい断面を有することを想定すると、かかる取り付け具はワイヤフレーム付き眼鏡には利用できない。
【０００９】
類似の試みがＦＲ−Ａ−２７５１４３１に図解されている。
【００１０】
本発明の課題は、ヒンジを一体化した眼鏡に類似の利点を有するワイヤフレーム眼鏡を提供することにある。
【００１１】
この課題達成のために、本発明は対称鉛直中面を有し、かつ前光学部および二つのワイヤテンプルを有し、各ワイヤテンプルが前記対称鉛直面の各側で対称的に前記前光学部の側領域に連結され、各ワイヤテンプルがワイヤテンプルの概ね長手方向と交差する垂直面内に位置するアイレットに形成されたヒンジ端を有し、かつヒンジ要素が、前記アイレットを受けて、前記前光学部に実質的垂直となる前記ワイヤテンプルの展開位置と前記前光学部に実質的水平となる前記ワイヤテンプルの折り畳み位置との間で前記側領域の内側面に実質的直角の軸を中心に軸旋回するために前記内側面上に固定されていることを特徴とする眼鏡を提供する。
【００１２】
このようにして、ヒンジ要素は前光学部に隣接していて、前光学部から、またはテンプルへ側方に突出しないコンパクト構造に形成できる。ヒンジ要素は、また非常に視認しにくい構成である。
【００１３】
好適には、前記ワイヤテンプルのブランチは湾曲している。
【００１４】
それにより、テンプルは折り畳み位置において前光学部により接近するように構成できる。
【００１５】
有利には、前記ヒンジ要素は概ね筒形に形成されかつ前記アイレットを案内しかつ約１８０°にわたって回転させる孔を含む。
【００１６】
その結果として、ヒンジ要素は簡単かつコンパクト構造になる。前記アイレットとそれに対面する前記孔を形成する各面との間にワッシャを介入でき、それにより前記孔を形成する面の時期尚早の磨耗を回避できる。
【００１７】
好適には、前記孔は螺旋状である。
【００１８】
これは、特に、テンプルを折り畳んだときに、テンプルと前光学部との間の摩擦の危険を抑制する。更に、この特徴は平面的前光学部を有する眼鏡への本発明の利用をより一層容易にする。
【００１９】
特定形態において、前記ヒンジ要素は前記側領域に対して軸受けする軸受け面を有しかつ前記側領域のエッジに形成された切欠き内に受けられる突出スタッドを有するベースを含み、かつアイレット案内孔を形成するために前記軸受け面と反対のベース面に対面する面を有するカバーを含む。
【００２０】
かかる構成により、ヒンジ要素はテンプルの容易かつ迅速取り付けを可能にする単純構造にできる。
【００２１】
好適実施形態において、前記カバーは前記ベースの切欠き内に受けられる側突出スタッドを有し、かつ前記ベースおよび前記カバーは前記前光学部、アイレット、およびヒンジ要素を貫通するファスナにより結合されている。
【００２２】
本発明の他の特徴および利点は本発明の非限定的特定形態に関する続く説明から理解されるであろう。
【００２３】
添付図面を参照すると、図示形態において、本発明の眼鏡はブリッジ２により相互に連結された二つのレンズ１で構成され、かつ各々が相互に対峙しかつ対称鉛直中面Ｐ１に対称的にそれぞれの側部でレンズ１に取り付けられた二つのワイヤテンプル３に連結された前光学部を含む。
【００２４】
前記前光学部は図示形態において二つのレンズにより構成されているが、ユーザの鼻のために切欠きを形成した単一片で構成され、それによりマスクを形成するものであってよい。この形態の場合には、ブリッジ２はかかる切欠きにより形成される。更に、他の形態として、フレーム内にレンズを受けるものが提供される。「レンズ」の用語はガラスで形成された「無機質」レンズおよび「ポリメタクリレート等のプラスチック材料により形成された「有機質」レンズを含む。同様に、レンズはサングラスに見られるような種類の矯正レンズまたは濾過レンズであってよい。
【００２５】
各ワイヤテンプル３は、図示形態において、僅かに傾斜しかつユーザの耳に接触するためのシース５で被覆された一端４を有する湾曲したチタンワイヤにより構成される。他端はワイヤテンプル３の概ね長手方向Ｄと共に所定角度を形成する平面Ｐ２内に位置するアイレット６を形成するように構成されている。当然ながら、ワイヤテンプル３はステンレス鋼等の他の適宜金属で形成されてよい。
【００２６】
各テンプル３のアイレット６は全体が参照番号７で示されたヒンジ要素に連結され、かつブリッジ２から遠隔のレンズ１の内側面の側領域８上に固定される。
【００２７】
各ヒンジ要素７は側領域８に対する軸受け面１０を有するベース９を含み、軸受け面１０は側領域８のエッジに形成された切欠き１２内に受けられる回転防止突出スタッド１１を有し、かつベース９の反対面１３は軸受け面１０に対して傾斜しかつ平面Ｐ２と平行のアイレット６のための摩擦面を形成する。壁１４が摩擦面１３から突出しかつ相互に対して１８０°で対峙する両エッジ１５，１６を有する。ベース９は軸受け面１０に対して垂直の軸Ａ上にベース９を貫通して形成された孔１７を有し、孔１７は側領域８において実質的直角に軸Ａ上に形成された孔１８と合致する。
【００２８】
カバー１９がベース９上に取り付けられる。カバー１９は軸受け面１０に平行の面２０、および平面Ｐ２に平行のアイレット６のための摩擦面を形成するように面２０に対して傾斜した反対面２１を有する。カバー１９は、傾斜面２１がベース９の摩擦面１３に対面しかつそれと平行になるようにベース９上に取り付けられ、それによりアイレット６を案内するための螺旋孔を形成する。アイレット６と螺旋孔の各対向面との間にはそれぞれワッシャ２７，２８が介在するように設けられる。１／１０数ミリ（ｍｍ）厚のステンレス鋼で形成された単純なフラットワッシャを使用できる。ワッシャ２７，２８はアイレット６に対する摩擦による螺旋孔の両面１３，２１（ベース９の摩擦面１３およびカバー１９の傾斜面２１）の、特にフレームが高研磨表面を有するチタンで形成されている場合に、時期尚早の磨耗を防止する。かかる磨耗はテンプル３にとって極めて望ましくない遊び効果に通じる。
【００２９】
カバー１９は孔１７の軸と同軸上に孔２２を有し、かつベース９の切欠き２４内に受けられる回転防止用の側方へ突出したスタッド２３を有する。
【００３０】
ベース９およびカバー１９は、孔２２、アイレット６、孔１７、および孔１８を通るナット−ボルトファスナにより結合される。従って、ファスナはヒンジ要素７をレンズ１に固定しかつベース９とカバー１９との間にアイレット６を保持する作用をする。ファスナはショルダおよびタップ孔を有するナット２５を含み、ナット２５は六角形頭部を有する螺子２６と共働する。
【００３１】
理解されるように、ファスナは、また、ピボットピンを構成し、テンプル３はこのピボットピンを中心に回転し、テンプル３がエッジ１５に当接しかつ前光学部１に実質的垂直となる展開位置（図２参照）と、テンプル３がエッジ１６に当接して前光学部１と実質的平行になる折り畳み位置（図３参照）間で枢軸旋回する。テンプル３が展開位置から折り畳み位置へ移行する運動は図２において矢印により示されている。この運動または逆の運動時に、ヒンジ要素７は連結された光学部に堅く固定されたブロックを形成し、かつ回転防止スタッド１１，２３により要素間で相対的回転をしない。
【００３２】
テンプル３および螺旋孔の曲率の組み合わせにより、耳片シース５を介することなくテンプル３がレンズ１に接触することなく、折り畳み位置においてテンプル３をレンズ１に接近させることができる。このことは、テンプル３が展開位置と折り畳み位置間を移動するときに、テンプル３がレンズ１の内側面を擦りかつ引っ掻くことを防止する。
【００３３】
当然ながら、本発明は上述の実施形態に限定されるものでなくかつ種々の形態が特許請求の範囲に記載の発明の範囲を逸脱すくことなく採用できる。
【図面の簡単な説明】
【図１】本発明による一対のレンズの一つにテンプルを連結するためのヒンジの部分分解斜視図である。
【図２】展開形態における一対の眼鏡の後方斜視図である。
【図３】折り畳み形態における一対の眼鏡を示す図２に類似の図である。
【国際公開パンフレット】
2004504626.tif 000003
2004504626.tif 000004
2004504626.tif 000005
2004504626.tif 000006
2004504626.tif 000007
2004504626.tif 000008
2004504626.tif 000009
2004504626.tif 000010
2004504626.tif 000011
2004504626.tif 000012
2004504626.tif 000013
2004504626.tif 000014
2004504626.tif 000015
【国際調査報告】
2004504626.tif 000016
2004504626.tif 000017
2004504626.tif 000018
2004504626.tif 000019
2004504626.tif 000020
2004504626.tif 000021